(57)【要約】【課題】吸水効率の向上を図ることができる傘脱水装置を提供する。【解決手段】先端から差し込まれる傘１００を収容する傘収容部９０と、傘収容部９０を取り囲む吸水シート７の外側に形成された吸水室８０と、前記吸水室８０を吸引して吸水シート７０の含水を吸い出す吸引手段３０とを備え、前記傘保持部９０は、傘軸収容孔部９１０と、横断面形状が前記傘軸収容孔部９１０から径方向外方に延びるスリット状に形成され、かつ前記傘軸収容孔部９１０周りに等配されて、傘１００の親骨１０１を進入させる縦長矩形の複数の親骨進入室９００とで構成されており、各親骨１０１が各親骨進入室９００に個別に進入するようにする。【選択図】    図２
2007178110.tif 000002
【特許請求の範囲】
【請求項１】
長さ方向の先端から差し込まれる傘を収容する傘収容部と、
前記傘収容部を取り囲んで配置された吸水シートと、
前記吸水シートの外側に形成された吸水室と、
前記吸水室に対する吸引動作により吸水シートの水分を吸い出す吸引手段と、
を備え、
前記傘収容部は、差し込まれた傘の傘軸を収容するための傘軸収容孔部と、横断面形状が前記傘軸収容孔部から径方向外方に延びるスリット状に形成され、かつ傘軸収容孔部周りに等配されて、傘の親骨を進入させる縦長矩形の複数の親骨進入室と、により構成されており、
前記複数の親骨進入室は、傘が傘軸収容孔部に差し込まれた際に、複数の親骨がその両側の襞部と共にそれぞれ個別に進入されるように構成されていることを特徴とする傘脱水装置。
【請求項２】
前記親骨進入室の奥行寸法が前記傘軸収容孔部の直径寸法よりも長寸に設定されている請求項１に記載の傘脱水装置。
【請求項３】
前記親骨進入室の入り口部位を幅狭にさせる張出部が該入り口部位の対向内面の少なくとも一方に形成されている請求項１または２に記載の傘脱水装置。
【請求項４】
前記傘収容部の傘差し込み方向の中間部に、脱水後の傘の長さ方向の中間部を径方向外方から絞って縮径させる絞り手段が設置されている請求項１ないしは３のいずれかに記載の傘脱水装置。
【請求項５】
前記傘収容部を収容する装置ケースが、前記傘軸収容孔部に対応する案内開口部と、前記親骨進入室に対応する複数の案内スリット部を有する蓋体を備えており、
前記蓋体の上面は、少なくとも案内開口部付近が下方へ凹入状に形成されている請求項１ないしは４のいずれかに記載の傘脱水装置。
【発明の詳細な説明】
【技術分野】
【０００１】
この発明は、濡れた傘を脱水する傘脱水装置に関する。
【背景技術】
【０００２】
傘脱水装置として、従来より、吸水シートと吸気装置を組み合わせた構造のもの、すなわち、傘の生地部分である襞部に付着した水分を吸水シートで吸水しつつ、吸水シートの水分を吸引装置により吸い出して脱水する構造のものが知られている（例えば特許文献１〜３）。
【特許文献１】実開平１−６６５８８号公報
【特許文献２】実開平２−１３１１９０号公報
【特許文献３】特開平６−１４８８５号公報
【発明の開示】
【発明が解決しようとする課題】
【０００３】
しかし、これら従来の傘脱水装置は、長さ方向の先端から差し込まれた傘を保持する傘収容部の周壁が円周方向へ連続するＶ形凹部で連続し、全体の横断面形状が略星形になっている。つまり、個々の凹部が内方向きに拡がっている態様であるから、前記傘を差し込んだ際に、傘の複数（８本）の親骨における隣り合うもの同志が一か所のＶ形凹部に一緒に入ってしまいやすい。
【０００４】
その場合、隣り合う２つの親骨の襞部と襞部とが一か所のＶ形凹部内で折り重なった状態となり、それが吸水シートに対して密着不良の部分となってしまい、脱水効率の低下を招くことになる。
【０００５】
この発明は、このような事情に鑑みてなされたものであって、脱水時の傘の襞部の重なり状態が回避されて、脱水効率を向上を図ることができる傘脱水装置を提供することを課題とする。
【課題を解決するための手段】
【０００６】
上記課題は、以下の手段によって解決される。
【０００７】
（１）長さ方向の先端から差し込まれる傘を収容する傘収容部と、前記傘収容部を取り囲んで配置された吸水シートと、前記吸水シートの外側に形成された吸水室と、前記吸水室に対する吸引動作により吸水シートの水分を吸い出す吸引手段と、を備え、前記傘収容部は、差し込まれた傘の傘軸を収容するための傘軸収容孔部と、横断面形状が前記傘軸収容孔部から径方向外方に延びるスリット状に形成され、かつ傘軸収容孔部周りに等配されて、傘の親骨を進入させる縦長矩形の複数の親骨進入室と、により構成されており、前記複数の親骨進入室は、傘が傘軸収容孔部に差し込まれた際に、複数の親骨がその両側の襞部と共にそれぞれ個別に進入されるように構成されていることを特徴とする傘脱水装置。
【０００８】
（２）前記親骨進入室の奥行寸法が前記傘軸収容孔部の直径寸法よりも長寸に設定されている前項１に記載の傘脱水装置。
【０００９】
（３）前記親骨進入室の入り口部位を幅狭にさせる張出部が該入り口部位の対向内面の少なくとも一方に形成されている前項１または２に記載の傘脱水装置。
【００１０】
（４）前記傘収容部の傘差し込み方向の中間部に、脱水後の傘の長さ方向の中間部を径方向外方から絞って縮径させる絞り手段が設置されている前項１ないしは３のいずれかに記載の傘脱水装置。
【００１１】
（５）前記傘収容部を収容する装置ケースが、前記傘軸収容孔部に対応する案内開口部と、前記親骨進入室に対応する複数の案内スリット部を有する蓋体を備えており、前記蓋体の上面は、少なくとも案内開口部付近が下方へ凹入状に形成されている前項１ないしは４のいずれかに記載の傘脱水装置。
【発明の効果】
【００１２】
前項（１）に記載の発明によれば、濡れた傘を傘収容部における傘軸部収容孔部に差し込めば、複数の親骨がその両側の襞部と共に、複数の親骨進入室にそれぞれ個別に進入する状態となる。
【００１３】
そして、その収容状態の傘は、前記傘収容部を囲んで配置された吸水シートに、傘の生地部分である襞部が接触して吸水される。同時に、吸水シートの外側に形成された横断面形状が環状の吸水室が吸引装置により吸引されるから、吸水シートで吸水された水分が吸引力により吸水シートから吸い出されて排出される。これにより、傘の襞部に付着した雨水などを簡単、かつ完全に脱水除去される。
【００１４】
とくに、傘収容部における親骨進入室の横断面形状が略Ｕ字形のスリット状になっているから、傘が傘軸収容孔部に差し込まれると、一つの親骨進入室に対して一つの親骨が進入するものの、複数の親骨が一緒には入りにくい。このため、一つの親骨進入室内で傘の複数の襞部が重なったりするのが回避され、襞部に付着した雨滴に対して効率の良い脱水作用が発揮される。
【００１５】
前項（２）に記載の発明によれば、親骨進入室の奥行寸法が前記傘軸収容孔部の直径寸法よりも長寸であるから、傘収容室の平面形状が従来のような星形のものと違って米字形となり、傘軸収容孔部に差し込んだ傘の隣合う親骨が一緒に一か所の親骨進入室に進入するのが確実に防止される。
【００１６】
前項（３）に記載の発明によれば、前記張出部によって親骨進入室の入り口側の幅寸法が小さくなり、親骨進入室の全長に渡って細幅にしなくても、傘の親骨を個別に親骨進入室に進入させることが可能となる。
【００１７】
また、親骨進入室を全長にわたって細幅にしなくて良いので、隣合う親骨進入室との間における入り口側のエッジを切り取らなくても、前記傘軸収容孔部の直径も一定の大きさに確保できる。つまり、隣合う親骨進入室との間における入り口側に鋭角的なエッジを形成しながら、一定の大きさの傘軸収容孔部を確保できるから、傘軸収容孔部への傘軸の挿入と各親骨進入室に対する各親骨の進入を円滑に行わせることができる。
【００１８】
前項（４）に記載の発明によれば、脱水後の傘を抜くときに傘の長さ方向に略中央部が径方向外方から絞られるので、例えば開き方向にばね付勢されたジャンプ傘では、傘が閉じた状態となり、傘を抜き取った時に予期しない傘の拡開が防止される。
【００１９】
前項（５）に記載の発明によれば、蓋体の上面の少なくとも案内開口部付近が凹入されているから、この蓋体の上面に飛散した雨水が案内開口部から傘収容部内に流下し、蓋の上面に溜まることはない。
【発明を実施するための最良の形態】
【００２０】
以下、この発明の一実施形態を図面に基づいて説明する。
【００２１】
図１、図２および図３は、それぞれこの発明の一実施形態に係る傘脱水装置の概略構成図、外観斜視図および分解斜視図である。
【００２２】
図１〜図３において、この傘脱水装置は、筒状容器形の装置ケース１０を備えており、その内部には、脱水槽２０、吸引装置３０および排水装置５０などが配備されている。
【００２３】
前記装置ケース１０は、上面が開放されて、下方に至るに従って横断面積が縮小した略有底の円筒体１１と、この円筒体１１の上端開口１１ａを覆う天板を兼務した蓋体１２とを備えている。
【００２４】
なお、蓋体１２は、例えばねじ１３により前記円筒体１１の上端に固定されている。また、蓋体１２は、前記脱水槽２０の上端開口を覆うカバーも兼務している。
【００２５】
この蓋体１２の中央には、傘１００の差し込み操作を案内する案内開口部１２０が形成されており、さらにこの案内開口部１２０から径方向外方へ延びて、案内開口部１２０周りに等配された複数、例えば８個の案内スリット部１２１が形成されている。
【００２６】
図２において、３１０は、後述するモータ３８の起動用の電源スイッチ３１１などが設けられた操作パネルである。
【００２７】
前記脱水槽２０は、図４にも示すように、上面が開放され、かつ下方に至るに従って横断面積が縮小したほぼ逆八角錐の中空体の最下部に、等径の有低筒体が連設された構成となされている。
【００２８】
前記脱水槽２０の内部には、例えば小判形の多数の透孔６１が形成された支持体６０が配設されている。この支持体６０は、その内面に吸水シート７０を支持するためのものであり、内部空間によって傘収容部９０が構成されている。
【００２９】
傘収容部９０は、図７に示すように、前記案内開口部１２０に対応する上端開口の傘軸収容孔部９１０と、この傘軸収容孔部９１０周りに等配された複数（８個）の親骨進入室９００とを備えている。
【００３０】
各親骨進入室９００は、前記傘軸収容孔部９１０から径方向外方へ延び、横断面形状が略Ｕ字形のスリット状に形成されて、縦長箱形になっている。この親骨進入室９００の奥行き長さ（径方向の長さ）ｌは、例えば図６に示すように、前記傘軸収容孔部９１の直径Ｒよりも長寸に設定されている。つまり、この複数の親骨進入室９００と傘軸収容孔部９１０とからなる傘収容部９０の平面形状は、略星形とは違って、略米字形となっている。
【００３１】
なお、親骨進入室９００の奥行き長さ（径方向の長さ）ｌや幅は、さらには隣り合う親骨進入室９００との間隔は、全ての親骨進入室９００において等しく設定されなければならないものではなく、例えば蓋体１２を傾斜させて、傘を斜め上方から傘収容部９０に進入させる形態とした場合などでは、傘骨の自重による開き具合に適合するように、適宜大小を設けても良い。
【００３２】
前記支持体６０は、図４および図７にも示すように、脱水槽２０の内面から一定の距離を隔てて配設されており、これにより、脱水槽２０の内面と支持体６０との間には、脱水槽２０の高さ方向にわたって、横断面形状が環状の吸水室８０が形成されている。
【００３３】
なお、支持体６０における上端には、前記各親骨進入室９００の幅方向の両側に位置して、取り付け片６０１，６０１が形成されている。前記蓋体１２を貫通したねじ１３１，１３１（図３）を使って蓋体１２を取り付け片６０１，６０１にねじ止めすることにより、前記支持体６０が装置ケース１０に固定されることになる。勿論、取り付け方法は、このねじ止めの方法に限らない。
【００３４】
前記吸水シート７０は、図４に示すように、前記傘収容部９０を取り囲む態様で、前記支持体６０の内面に密着状態に支持されている。
【００３５】
この吸水シート７０は、傘１００の襞部１０２に付着した雨水を接触吸水するものであり、合成樹脂などの素材からシート状に成形された公知構成のものであり、多数の小径の貫通孔７１が全域に形成されている。なお、貫通孔はなくても良い。
【００３６】
なお、吸水シート７０は支持体６０の内面に部分的に接合されていてもよいが、取り替えが可能な態様で取り付けられるのが望ましい。
【００３７】
前記脱水槽２０における周壁部２０ａには、その下端位置において、図１、図７及び図８に示すように、前記吸水室８０に連通する状態で吸気管３１の一端側が接続されるとともに、吸気管３１の他端は吸引装置３０に接続されており、吸引装置３０の吸引動作により、吸気管３１を介して前記吸水室８０が吸引されて減圧（負圧）されるように設定されている。
【００３８】
吸引装置３０の動作によって吸水室８０が吸引されると、支持体６０の内面における吸水シート７０が支持体６０の透孔６１を介して吸引される。これにより、吸水シート７０の内側に存在する傘１００の襞部１０２が吸引されて吸水シート７０に密着される。
【００３９】
前記吸引装置３０は、図１に示すように、モータ３８によりブロワを作動させる方式のものであり、吸引した前記吸水室８０の空気は、排気管３２を介して排気口３３へと送られ、装置外へ排出されるように構成される一方、空気と共に吸引されてきた水分は、貯水部３４に溜まるようになっている。
【００４０】
前記貯水部３４は、図５に示すように、その底部が水分落下口３５として開口されている。この水分落下口３５の近傍には、吸引動作中は吸引力により前記落下口３５を閉塞する方向に変位し、吸引動作が解除されると、自重により下方変位して落下口３５を開放する蓋体が３６が水平軸３６ａを介して回動自在に枢支されている。図５において、３７は、蓋体３６の自重による最大回動位置を規制するストッパである。
【００４１】
なお、前記モータ３８は、利用者が図示しないフットスイッチを操作することにより回転動作を開始し、図示しないタイマによりセットされた一定時間が経過すると停止するように設定されている。
【００４２】
勿論、モータ３８の停止も利用者がスイッチ操作により行うようにしてもよく、また、モータ３８の作動開始を、傘１００が前記傘収容部９０に収容されたことを検知するセンサを設けて、自動的に行う構成としてもよい。
【００４３】
前記水分落下口３５の下方には、前記排水装置５０が設置されている。
【００４４】
この排水装置５０は、装置ケース１０の周壁から出し入れ可能に設けられた排水トレイ５１と、この排水トレイ５１に接続された水分放出器５２とを備えている。前記排水トレイ５１は、貯水部３４の落下口３５から落下した水分を受けて溜めるものである。
【００４５】
また、前記水分放出器５２は超音発振子（超音波振動子）５３を備え、超音波により水分を霧状にしたのち、排気管５４を介して排気口３３から装置外に排出するように構成されている。
【００４６】
この実施形態では、図４に示すように、前記吸水シート７０の全域に多数の貫通孔７１を形成してあるが、この貫通孔７１を形成したのは次の理由による。
【００４７】
すなわち、吸引装置３０による吸引時に、支持体６０の透孔６１と重なった部分の貫通孔７１を空気が流通する。これにより貫通孔７１の周縁部からの水分の離脱が促進されるとともに、離脱した水分に代わって吸水シート７０内の水分が毛細管現象により貫通孔７１の周縁部へと移動し、貫通孔７１を流通する空気によりさらに離脱される。これが繰り返されることにより、吸水シート７０からの水分の吸い出し効率が向上し、ひいては傘１００に付着した水分に対して吸水シート７０による吸水効率が向上するからである。
【００４８】
次に、図１〜図８に示した傘脱水装置の動作を説明する。
【００４９】
利用者は、濡れた傘（例えば、開き方向にばね付勢されたジャンプ傘）１００を、その先端から前記案内開口部１２０に差し込めば、傘１００が傘収容部９０に収容される。
【００５０】
傘１００の差し込み操作開始時に、もし、傘１００の親骨１０１の部位が前記蓋体１２の案内スリット部１２１に対応していなかった場合には、傘１００を少し軸周りに回転変移させて、傘１００の親骨１０１の部位が前記案内スリット部１２１に対応させておく。
【００５１】
傘１００を差し込んでいくと、傘１００は、その傘軸１０３の部位が傘収容部９０における傘軸収容孔部９１０に収容される一方、８本の親骨１０１が８個の親骨進入室９００に対してそれぞれ個別に進入する。特に前記ジャンプ傘の場合には、開き方向にばね付勢されているからさらにスムーズに進入する。
【００５２】
ここでの傘収容部９０は、従来の平面形状が略星形の傘収容部とは違って、平面形状が米字形である。つまり、傘軸収容孔部９１０を中心にして放射状に延びる親骨進入室９００の横断面が略Ｕ字形のスリット状であるから、図６に示すように、傘軸１０３が傘軸収容孔部９１０に差し込まれると、一つの親骨進入室９１に対して一つの親骨１０１しかほぼ入らない。つまり、一つの親骨進入室９１０に対して、例えば二つの親骨１０１が一緒に進入するのが回避されるから、一つの親骨進入室９００内で傘１００の複数の襞部１０２が重なったりすることがなくなり、効率の良い脱水作用のために好都合になる。
【００５３】
傘１００が傘収容部９０に収容された状態では、傘１００の襞部１０２の一部は、図８に示すように吸水シート７０に接触して吸水される。
【００５４】
この状態で、利用者がフットスイッチを操作し、吸引装置３０のモータ３８を駆動すると、ブロアが作動し、吸気管３１を介して吸水室８０吸引される。この吸引動作により、吸水シート７０が支持体６０の透孔６１を介して吸引され、さらには吸水シート７０の吸引部分の内側に存在している傘１００の襞部１０２が吸引されて広がって、吸水シート７０に密着し、襞部１０２に付着している水分が吸水シート７０にさらに吸水される。
【００５５】
この吸水シート７０による吸水動作と、前記吸水部８０において吸水シート７０に作用する吸引力による吸水動作により、傘１００の襞部１０２に付着した水分は確実に脱水される。
【００５６】
しかも、吸水シート７０には多数の貫通孔７１が形成されているから、吸引力によりこの貫通孔７１を空気が流通する結果、貫通孔７１の周縁部からの水分の離脱と吸水シート内の水分の貫通孔７１への集合とが促進され、脱水効率がさらに高められる。
【００５７】
吸引開始後一定時間が経過すると、タイマが作動してモータ３８が停止し、吸引力が解除される。
【００５８】
モータ３８の停止後、利用者は傘１００を傘軸収容孔部９１０から引き抜けばよい。
【００５９】
一方、吸引装置３０で吸引された水分は、吸引装置３０の作動中は貯水部３４に溜められ、吸引装置３０の作動が停止すると、蓋体３６が開口して排水タンク５１に落下する。排水タンク５１に溜められた水と、排水管３９により送られてきた傘先端嵌合部２５の水は、水分放出器５２の超音波発振器５３により霧状化され、排気管５４を介して排気口３３から装置外に排出される。
【００６０】
なお、前記蓋体１２の上面が平坦形状であると、傘１００の差し込み操作時などに、傘１００の襞部１０２の雨水が蓋体１２の上面に溜まったりするから、図９に示すように、蓋体１２を凹入状に形成すると、上面に飛散した雨水が案内開口部１２０やスリット部１２１から傘収容部９０内に流出し、蓋体１２の上面に雨水が溜まることはない。
【００６１】
勿論、蓋体１２の上面全体を凹入しなくても、案内用開口部１２０付近だけを凹入状にしたものでもよい。
【００６２】
ところで、傘１００を前記傘軸収容孔部９１０に差し込んだ際に、前記８個の親骨進入室９００に対して８個の親骨１０１をそれぞれ個別に確実に進入させるためには、親骨進入室９００の幅寸法ｔ（図１１）が可及的に小さい方がよい。
【００６３】
しかしながら、親骨進入室９００の入り口側の幅寸法ｔが小さくなる程、８個の親骨進入室９００の各内端で取り囲まれた傘軸収容孔部９１０の径Ｒが小さくなってしまう。そのため、この傘軸収容孔部９１０の径Ｒは、傘１００の抜き差しに支障をきたさない程度の一定寸法を確保しておく必要がある。
【００６４】
親骨収容室９００の幅寸法ｔを大きくしないで、傘軸収容室９１０の径Ｒを一定に確保するために、隣合う前記親骨進入室９００，９００の入り口側で構成された鋭角的なエッジ９００ａを切り取ってしまうと、傘１００の親骨１０１が親骨進入室９００へ進入する際に、親骨１０１が切断部に当たって親骨進入室９００へのスムーズな進入を妨げるおそれがある。
【００６５】
このような観点から、図１０および図１１に示すように、前記親骨進入室９００の入り口側の対向内面のそれぞれに、入り口側を幅狭にさせる張出部９０１，９０１を形成するのが望ましい。
【００６６】
これにより、前記傘軸収容孔部９１０の径Ｒを小さくすることなく、親骨進入室９００の入り口幅が実質的に狭くなるうえ、前記鋭角的なエッジ９００ａを失うこともなくなり、傘１００の親骨１０１を個別的に親骨進入室９００に円滑に進入させやすくなる。
【００６７】
次に、この発明の他の実施形態を図面に従って説明する。
【００６８】
図１２は、この発明の他の実施形態における脱水槽２０を示す概略構成図である。
【００６９】
図１２において、前記脱水槽２０は、傘差し込み方向（高さ方向）で２分構成となっており、一方の分割脱水槽２０Ａと他方の分割脱水槽２０Ｂとの間には、前記脱水後の傘１００の長さ方向の略中央部位を径方向外方から絞る絞り手段５０が設けられている。
【００７０】
この絞り手段５０は、例えば図１３〜図１５に示すように、８個の親骨進入室９００のうちの選択された対向関係にある４組の親骨進入室９００，９００の奥側（径方向外端側）に配置されて、径方向へ沿って変移可能な傘絞り用スライダ５０１と、このスライダ５０１の変移を案内する平行な一対のガイドール５０２，５０２と、前記スライダ５０１に対して常時径方向外方への復帰力を付勢する圧縮コイルばね５０３と、前記スイライダ５０１上に支柱５０４を介して支持された可動側滑車５０５と、前記親骨進入室９００の入り口側の両側方にそれぞれ固定された支柱５０６，５０６を介して支持された一対の固定側滑車５０７，５０７と、隣の親骨進入室９００の奥側に対応して配置された固定側滑車５０８と、前記スライダ５０１を変移させるためのワイヤ５０９とを備えている。
【００７１】
前記ワイヤ５０９の一端を固定しておき、そのワイヤ５０９を、図１４に示すように、一方の固定側滑車５０７、可動側滑車５０５、他方の固定側滑車５０７、隣の固定側滑車５０８、さらに隣の一方の固定側滑車５０７、可動側滑車５０５、他方の固定側滑車５０７・・・の順で一巡させて、ワイヤ５０９の他端を引くと、前記スライダ５０１が径方向内方へ変移するように張設してあり、そのワイヤ５０９の他端がモータ５１０で駆動される巻取りスプール５１１に巻き取られるように設定されている。
【００７２】
通常は、図１４に示すように、圧縮コイルばね５０３のばね力により、前記スライダ５０１が径方向外方へ変移している。この状態で傘１００の脱水が行われる。
【００７３】
傘１００の脱水後に、例えば吸引装置３０のモータ３８の停止に連動して、前記モータ５１０を駆動して巻取りスプール５１１にワイヤ５０９を巻き取らせると、図１５に示すように、前記複数のスイライダ５０１・・・が圧縮コイルばね５０３のばね力に抗して径方向内方へ変移し、これにより、傘１００の長さ方向の略中央部が径方向外方から絞られて傘１００が縮径される。
【００７４】
このため、例えばジャンプ傘１００の脱水後に、この傘１００を開口部９１から引き抜いた際に、該傘１００が予期せぬままに自動的に拡がったりするのが防止され、傘を閉じた状態で抜き取ることができる。
【００７５】
なお、しぼり手段５０は、前記実施形態のものに限定されるものではなく、傘１００を径方向外方から絞るものであれば、適宜、採用可能である。
【００７６】
また、しぼり手段５０をモータにより駆動する構造のものに限定されることはなく、例えばユーザがレバーを駆動するとともに、このレバーに連動して絞り手段が絞り動作を行う手動式の構造のものとしても良い。
【図面の簡単な説明】
【００７７】
【図１】この発明の一実施形態に係る傘脱水装置を示す概略構成図である。
【図２】同じく傘脱水装置を示す外観斜視図である。
【図３】同じく傘脱水装置を示す分解斜視図である。
【図４】脱水槽の要部を示す斜視図である。
【図５】吸引装置による吸引時の貯水部の下部構造を示す断面図である。
【図６】傘収容部における親骨進入室の奥行き寸法の説明図である。
【図７】傘脱水装置を示す縦断面図である。
【図８】傘脱水装置を脱水動作状態示す縦断面図である。
【図９】傘脱水装置の蓋体の変形構造を示す断面図である。
【図１０】傘収容部における親骨進入室を示す斜視図である。
【図１１】同じく親骨進入室の幅寸の説明図である。
【図１２】この発明の他の実施形態における脱水槽を示す概略図である。
【図１３】図２における絞り手段の具体的構成を示す部分斜視図である。
【図１４】同じく絞り手段の非動作時の平面図である。
【図１５】同じく絞り手段の動作時の平面図である。
【符号の説明】
【００７８】
１０        装置ケース
１２        蓋体
３０        吸引手段
５０        絞り手段
７０        吸水シート
８０        吸水室
９０        傘収容部
１００      傘
１０１      親骨
１０２      襞部
１２０      案内開口部
１２１      案内スリット部
９００      親骨進入室
９０１      張出部
９１０      傘軸収容孔部
ｌ          親骨進入室の奥行き寸法
ｔ          親骨進入室の幅寸法
Ｒ          傘軸収容孔部の直径
【図１】
2007178110.tif 000003
【図２】
2007178110.tif 000004
【図３】
2007178110.tif 000005
【図４】
2007178110.tif 000006
【図５】
2007178110.tif 000007
【図６】
2007178110.tif 000008
【図７】
2007178110.tif 000009
【図８】
2007178110.tif 000010
【図９】
2007178110.tif 000011
【図１０】
2007178110.tif 000012
【図１１】
2007178110.tif 000013
【図１２】
2007178110.tif 000014
【図１３】
2007178110.tif 000015
【図１４】
2007178110.tif 000016
【図１５】
2007178110.tif 000017